(57)【要約】【課題】用紙の給紙時の振動によって用紙ガイドが勝手に広がってしまうのを防止することが可能な給紙トレイを提供することを目的とする。【解決手段】トレイ本体に給紙方向と直交する方向に移動可能に設けられ、用紙の幅に応じて間隔が調整可能な用紙ガイドと、給紙方向と直交する方向に延びたラック１０ｂであって、用紙ガイドとともに移動するラック１０ｂと、ラック１０ｂに噛合するピニオン１１ｂと、このピニオン１１ｂが用紙ガイドを狭める方向に回転する際には空転し、かつこのピニオン１１ｂが用紙ガイドを広げる方向に回転する際にはロックするワンウェイクラッチ１５と、ピニオン１１ｂとワンウェイクラッチ１５との間に介在させた摩擦パッド１３ｂとを備える。【選択図】図５
2009292546.tif 000002
【特許請求の範囲】
【請求項１】
トレイ本体に給紙方向と直交する方向に移動可能に設けられ、用紙の幅に応じて間隔が調整可能な用紙ガイドと、
前記給紙方向と直交する方向に延びたラックであって、前記用紙ガイドとともに移動するラックと、
前記ラックに噛合するピニオンと、
このピニオンが前記用紙ガイドを狭める方向に回転する際には空転し、かつこのピニオンが前記用紙ガイドを広げる方向に回転する際にはロックするワンウェイクラッチと、
前記ピニオンとワンウェイクラッチとの間に介在させた摩擦パッドとを備えた給紙トレイ。
【請求項２】
トレイ本体に給紙方向と直交する方向に移動可能に設けられ、用紙の幅に応じて間隔が調整可能な第１および第２の用紙ガイドと、
この第１および第２の用紙ガイドが同じ量だけ逆方向に移動するように連動させ、間隔を変化させる連動機構とを備え、
前記連動機構は、前記給紙方向と直交する方向に延びた一対のラックであって、前記第１および第２の用紙ガイドとともにそれぞれ移動する第１および第２のラックと、
前記第１のラックに噛合する第１のピニオンと、
この第１のピニオンと同軸上に設けられ、前記第２のラックに噛合する第２のピニオンと、
前記第１のピニオンと第２のピニオンとの間に設けられ、前記第１または第２の用紙ガイドの一方に外力が加えられたときには前記第１のピニオンと第２のピニオンとが同期状態となり、かつ前記第１および第２の用紙ガイドの両方に前記第１のピニオンと第２のピニオンとの同期状態に逆らう外力が加えられたときには前記第１のピニオンと第２のピニオンとが非同期状態となるための摩擦力を発生させる第１の摩擦パッドと、
前記第１および第２のピニオンが前記用紙ガイドを狭める方向に回転する際には空転し、かつ前記第１および第２のピニオンが前記用紙ガイドを広げる方向に回転する際にはロックするワンウェイクラッチと、
前記第１または第２のピニオンとワンウェイクラッチとの間に介在させた第２の摩擦パッドとを備えた給紙トレイ。
【請求項３】
前記ピニオンを前記摩擦パッドおよびワンウェイクラッチに押圧する押圧手段を備えた請求項１または２に記載の給紙トレイ。
【請求項４】
前記摩擦パッドの摩擦係数は０．７〜０．９であり、前記押圧手段による押圧荷重は１１〜１５Ｎである請求項３記載の給紙トレイ。
【請求項５】
前記摩擦パッドは、シリコーンゴム製である請求項１から４のいずれかに記載の給紙トレイ。
【発明の詳細な説明】
【技術分野】
【０００１】
本発明は、トレイ本体に給紙方向と直交する方向に移動可能に設けられ、用紙の幅に応じて間隔が調整可能な用紙ガイドを備えた給紙トレイ及びそれを用いた事務機器に関する。
【背景技術】
【０００２】
一対の用紙ガイドの間隔を用紙の幅に応じて変化させる連動機構を備えた給紙トレイが広く知られている（例えば、特許文献１参照。）。この給紙トレイでの一対の用紙ガイドは、給紙トレイのセンタに関して常に対称位置にあり、同じ量だけ逆方向に移動するように連動される。このため、どのサイズの用紙がセットされても、用紙の中心が給紙方向と直交する方向以外にずれることはない。従って、このセンタ振り分け方式を採用した場合、給送ローラをセンタに関して対称に配設することで、どのサイズの用紙であっても、斜行を生じさせることなく安定に給送できるという利点がある。
【０００３】
ところで、金融機関等で用いられる汎用スキャナにおいては、同一帳票の二重読み取り等を防止するため、読み取った帳票（用紙）に対しては、スキャナ内で、読み取ったことを示すデータ（例えば数桁の数値データ）を、帳票表面の左端部（あるいは右端部）に印字することが行われている。この帳票のサイズは複数あり、異なる幅の帳票が存在するため、センタ振り分け方式の給紙トレイでは、帳票の幅によって、帳票表面の左端部（あるいは右端部）の位置も給紙方向と直交する方向に変動することになる。このため、読み取ったことを示す上記データを印字すべき位置も帳票の幅によって変化することになり、帳票の幅に応じて印字位置を調整し直すという面倒な作業が必要である。
【０００４】
この面倒さを解消するために、左端側（あるいは右端側）の用紙ガイドを固定し、右端側（あるいは左端側）の用紙ガイドのみを用紙の幅に応じて調整するという片端ガイド固定方式を採用することも考えられるが、汎用スキャナにおける多くの読み取りでは、センタ振り分け方式での作業が望まれるため、現実には、給紙トレイを片端ガイド固定方式のものにすることもできない。
【０００５】
そこで、これらの問題を解決するために、センタ振り分け方式と片端ガイド固定方式のいずれをも選択できる給紙トレイが開発されている（例えば、特許文献２参照。）。この給紙トレイは、トレイ本体に給紙方向と直交する方向に移動可能に設けられ、用紙の幅に応じてその間隔が調整可能な一対の用紙ガイドと、一対の用紙ガイドが同じ量だけ逆方向に移動するように用紙ガイドを連動させ、用紙ガイドの間隔を変化させる連動機構と、連動機構による一対の用紙ガイドの連動を解除して、一対の用紙ガイドの少なくとも一方を調整位置にロック可能なロック手段とを有する。
【０００６】
ここで、連動機構は、給紙方向と直交する方向に延びた一対のラックであって、その歯先が対向するように配置され、ラックの一方は一対の用紙ガイドの一方と共に給紙方向と直交する方向に移動し、他方は一対の用紙ガイドの他方と共に給紙方向と直交する方向に移動するラックと、一対のラックの一方に噛合する第一のピニオンと、一対のラックの他方に噛合する第二のピニオンと、トレイ本体に回転自在に支持され、第一及び第二のピニオンの少なくとも一方と中間歯車との噛合する中間歯車とからなり、ロック手段は、第一及び第二のピニオンの少なくとも一方と中間歯車との噛合を解除する噛合解除手段と、第一及び第二のピニオンの少なくとも一方の回転を規制する回転規制手段とからなる。
【０００７】
この給紙トレイは、一対のラックの間に第一及び第二のピニオンと中間歯車とを配設した簡単な歯車列を用いたもので、第一及び第二のピニオンと中間歯車とを連動させることで、センタ振り分け方式の給紙トレイとして使用できる。一方、第一又は第二のピニオンと中間歯車との噛合を解除し、第一又は第二のピニオンの回転を規制することで、片端ガイド固定方式の給紙トレイとして使用できる。
【特許文献１】特開平１０−１３９１７５号公報
【特許文献２】特開２００４−３５２４６３号公報
【発明の開示】
【発明が解決しようとする課題】
【０００８】
ところで、上記のような給紙トレイでは、用紙の給紙時の振動によって用紙ガイドが勝手に移動してしまうことがある。用紙給紙中は、用紙ガイドの間には用紙が存在するため、用紙ガイドが狭まることはないが、用紙ガイドの外側には何も存在しないため、振動によって用紙ガイドが広がってしまうのである。
【０００９】
そこで、本発明においては、用紙の給紙時の振動によって用紙ガイドが勝手に広がってしまうのを防止することが可能な給紙トレイ及びそれを用いた事務機器を提供することを目的とする。
【課題を解決するための手段】
【００１０】
上記課題を解決するため本発明は、トレイ本体に給紙方向と直交する方向に移動可能に設けられ、用紙の幅に応じて間隔が調整可能な用紙ガイドと、給紙方向と直交する方向に延びたラックであって、用紙ガイドと共に移動するラックと、ラックに噛合するピニオンと、このピニオンが用紙ガイドを狭める方向に回転する際には空転し、且つこのピニオンが用紙ガイドを広げる方向に回転する際にはロックするワンウェイクラッチと、ピニオンとワンウェイクラッチとの間に介在させた摩擦パッドとを備えたことを特徴とする。
【発明の効果】
【００１１】
本発明によれば、用紙ガイドと共に移動するラックに噛合するピニオンが、用紙ガイドを広げる方向に回転する際には、ワンウェイクラッチがロックされるため、ピニオンとワンウェイクラッチとの間に介在させた摩擦パッドによる摩擦力がピニオンに作用し、ピニオンの回転を制限するので、用紙の給紙時の振動によって用紙ガイドが勝手に広がってしまうのを防止することができる。また、用紙ガイドを用紙の幅に応じて広げる場合には、この摩擦力に逆らって用紙ガイドを移動させれば、ピニオンと摩擦パッドとワンウェイクラッチとの間で滑りが生じるので、所望の位置まで移動させることができる。一方、用紙ガイドを用紙の幅に応じて狭める際には、ワンウェイクラッチが空転するため、ピニオンの回転は制限されず、用紙ガイドを所望の位置まで移動させることができる。
【発明を実施するための最良の形態】
【００１２】
本願の第一の発明は、トレイ本体に給紙方向と直交する方向に移動可能に設けられ、用紙の幅に応じて間隔が調整可能な用紙ガイドと、給紙方向と直交する方向に延びたラックであって、用紙ガイドと共に移動するラックと、ラックに噛合するピニオンと、このピニオンが用紙ガイドを狭める方向に回転する際には空転し、且つこのピニオンが用紙ガイドを広げる方向に回転する際にはロックするワンウェイクラッチと、ピニオンとワンウェイクラッチとの間に介在させた摩擦パッドとを備えた給紙トレイである。
【００１３】
本発明によれば、用紙ガイドと共に移動するラックに噛合するピニオンが、用紙ガイドを広げる方向に回転する際には、ワンウェイクラッチがロックされるため、ピニオンとワンウェイクラッチとの間に介在させた摩擦パッドによる摩擦力がピニオンに作用し、ピニオンの回転を制限するので、用紙の給紙時の振動によって用紙ガイドが勝手に広がってしまうのを防止することができる。
【００１４】
また、用紙ガイドを用紙の幅に応じて広げる場合には、この摩擦力に逆らって用紙ガイドを移動させれば、ピニオンと摩擦パッドとワンウェイクラッチとの間で滑りが生じるので、所望の位置まで移動させることができる。
【００１５】
一方、用紙ガイドを用紙の幅に応じて狭める際には、ワンウェイクラッチが空転するため、ピニオンの回転は制限されず、用紙ガイドを所望の位置まで移動させることができる。
【００１６】
本願の第二の発明は、トレイ本体に給紙方向と直交する方向に移動可能に設けられ、用紙の幅に応じて間隔が調整可能な第一及び第二の用紙ガイドと、この第一及び第二の用紙ガイドが同じ量だけ逆方向に移動するように連動させ、間隔を変化させる連動機構とを備え、連動機構は、給紙方向と直交する方向に延びた一対のラックであって、第一及び第二の用紙ガイドと共にそれぞれ移動する第一及び第二のラックと、第一のラックに噛合する第一のピニオンと、この第一のピニオンと同軸上に設けられ、第二のラックに噛合する第二のピニオンと、第一のピニオンと第二のピニオンとの間に設けられ、第一又は第二の用紙ガイドの一方に外力が加えられたときには第一のピニオンと第二のピニオンとが同期状態となり、且つ第一及び第二の用紙ガイドの両方に第一のピニオンと第二のピニオンとの同期状態に逆らう外力が加えられたときには第一のピニオンと第二のピニオンとが非同期状態となるための摩擦力を発生させる第一の摩擦パッドと、第一及び第二のピニオンが用紙ガイドを狭める方向に回転する際には空転し、且つ第一及び第二のピニオンが用紙ガイドを広げる方向に回転する際にはロックするワンウェイクラッチと、第一又は第二のピニオンとワンウェイクラッチとの間に介在させた第二の摩擦パッドとを備えた給紙トレイである。
【００１７】
本発明によれば、連動機構の第一及び第二のピニオンが同軸上に設けられているので、第一及び第二の用紙ガイドの間隔を狭くすることができる。また、第一又は第二の用紙ガイドの一方に外力が加えられたときには第一のピニオンと第二のピニオンとが、これらの間の第一の摩擦パッドにより発生する摩擦力によって同期状態となり、第一及び第二の用紙ガイドが連動する。
【００１８】
一方、この第一の摩擦パッドにより発生する摩擦力は、第一及び第二の用紙ガイドの両方に第一のピニオンと第二のピニオンとの同期状態に逆らう外力が加えられたときには、第一のピニオンと第二のピニオンとが非同期状態となり、第一及び第二の用紙ガイドが非連動で作動する。
【００１９】
これにより、センタ振り分け方式と片端ガイド固定方式とを切り換え可能であって名刺サイズなどの小さな原稿であっても対応することが可能な給紙トレイが得られる。
【００２０】
また、特に、本発明では、用紙ガイドと共に移動するラックに噛合する第一及び第二のピニオンが、用紙ガイドを広げる方向に回転する際には、ワンウェイクラッチがロックされるため、第一又は第二のピニオンとワンウェイクラッチとの間に介在させた第二の摩擦パッドによる摩擦力がピニオンに作用し、ピニオンの移動を制限するので、用紙の給紙時の振動によって用紙ガイドが勝手に広がってしまうのを防止することができる。
【００２１】
また、用紙ガイドを用紙の幅に応じて広げる場合には、この摩擦力に逆らって用紙ガイドを移動させれば、ピニオンと摩擦パッドとの間で滑りが生じるので、所望の位置まで移動させることができる。
【００２２】
一方、用紙ガイドを用紙の幅に応じて狭める際には、ワンウェイクラッチが空転するため、第一及び第二のピニオンの移動は制限されず、用紙ガイドを所望の位置まで移動させることができる。
【００２３】
本願の第三の発明は、上記ピニオンを摩擦パッド及びワンウェイクラッチに押圧する押圧手段を備えたものであることを特徴とする。これにより、押圧手段の押圧力を調整することによって、ピニオンの回転を制限する場合の摩擦力の基準値を設定することが可能となる。
【００２４】
本願の第四の発明は、上記摩擦パッドの摩擦係数が０．７〜０．９であり、押圧手段による押圧荷重が１１〜１５Ｎであることを特徴とする。これにより、通常の使用状態においては、用紙の給紙時の振動によって用紙ガイドが勝手に広がってしまうのを防止することができると共に、用紙ガイドを用紙の幅に応じて広げる場合であってもこの摩擦力に逆らって容易に用紙ガイドを移動させることができる。
【００２５】
また、連動機構によって第一及び第二の用紙ガイドが連動する場合には、第一又は第二の用紙ガイドの一方に外力が加えられたときに第一のピニオンと第二のピニオンとが同期し、第一及び第二の用紙ガイドの両方に同期状態に逆らう外力が加えられたときに第一のピニオンと第二のピニオンとが非同期となる。
【００２６】
本願の第五の発明は、摩擦パッドが、シリコーンゴム製であることを特徴とする。摩擦パッドがシリコーンゴム製である場合、用紙の給紙時の振動によって用紙ガイドが勝手に広がってしまうのを防止することができると共に、用紙ガイドを用紙の幅に応じて広げる場合であってもこの摩擦力に逆らって容易に用紙ガイドを移動させることができる適切な摩擦力を発生させることができる。
【００２７】
また、連動機構によって第一及び第二の用紙ガイドが連動する場合には、第一又は第二の用紙ガイドの一方に外力が加えられたときに第一のピニオンと第二のピニオンとを同期させ、第一及び第二の用紙ガイドの両方に第一のピニオンと第二のピニオンとの同期状態に逆らう外力が加えられたときには第一のピニオンと第二のピニオンとが非同期となる適切な摩擦力を発生させることができる。
【００２８】
また、繰り返しの使用によっても塑性変形しにくく、長期間に亘って安定的に上記摩擦力を発生させることが可能である。
【００２９】
（実施の形態）
以下、本発明の実施の形態について、図面を参照して説明する。
【００３０】
図１は本発明の実施の形態における給紙トレイの表面側からみた斜視図、図２は本発明の実施の形態における給紙トレイの裏面側からみた斜視図、図３は図１のＡ−Ａ断面図、図４は図３のＣ部拡大図、図５は図１のＢ−Ｂ断面図、図６は図１の給紙トレイの用紙ガイドを最も狭めた状態を示す平面図、図７は図６の下面図、図８は図１の給紙トレイを片側ガイド固定方式とした状態を示す平面図である。尚、図１〜図５は用紙ガイドを最も広げた状態を示している。
【００３１】
図１において、給紙トレイ１は、トレイ本体２に、給紙方向と直交する方向に移動可能に設けられた第一の用紙ガイド３ａ及び第二の用紙ガイド３ｂを備えたものである。この給紙トレイ１は、スキャナ、プリンタ、ファクシミリや複写機などの給紙装置（図示せず。）に取り付けられている。用紙ガイド３ａ，３ｂは用紙の幅に応じて間隔を調整することが可能であり、トレイ本体２の上面に載置された用紙は用紙ガイド３ａ，３ｂによってガイドされて給紙装置へ供給される。また、この給紙トレイ１は、用紙ガイド３ａ，３ｂが同じ量だけ逆方向に移動するように連動させ、間隔を変化させる連動機構４を備える（図２及び図３参照。）。
【００３２】
連動機構４は、図４及び図５に示すように、トレイ本体２の裏面側で給紙方向と直交する方向に延びた一対のラック１０ａ，１０ｂと、一対のラック１０ａ，１０ｂにそれぞれ噛合するピニオン１１ａ，１１ｂと、軸１２と、摩擦パッド１３ａ，１３ｂと、押圧手段としてのスプリング１４と、ワンウェイクラッチ１５とから構成される。
【００３３】
尚、ラック１０ａ，１０ｂ及びピニオン１１ａ，１１ｂのモジュールは全て等しく、ピニオン１１ａ，１１ｂの歯数は同一である。
【００３４】
また、ラック１０ａの歯は、ピニオン１１ａの歯幅に合わせて形成されており、ピニオン１１ａにのみ噛合するようになっている。ラック１０ｂの歯も同様に、ピニオン１１ａには噛合せず、ピニオン１１ｂにのみ噛合するように形成されている。
【００３５】
また、ピニオン１１ａ，１１ｂは軸１２上に設けられている。トレイ本体２には、給紙方向と直交する方向に一対の直線ガイド孔２ａ，２ｂ（図１参照。）が設けられており、ラック１０ａ，１０ｂは、それぞれ直線ガイド孔２ａ，２ｂを通じてトレイ本体２の表面側の用紙ガイド３ａ，３ｂに連結されている。ピニオン１１ａ，１１ｂは、軸１２に対して回転可能に軸支されている。摩擦パッド１３ａは、シリコーンゴム製の中空円板であり、ピニオン１１ａ，１１ｂの間に挟持されている。
【００３６】
また、軸１２のピニオン１１ｂの下方には、ワンウェイクラッチ１５が固定されている。摩擦パッド１３ｂは、ピニオン１１ｂとワンウェイクラッチ１５との間に介在させてある。ワンウェイクラッチ１５は、ピニオン１１ｂが用紙ガイド３ｂを狭める方向に回転する際には空転し、且つこのピニオン１１ｂが用紙ガイド３ｂを広げる方向に回転する際にはロックするクラッチ機構である。
【００３７】
また、軸１２の先端にはワンウェイクラッチ１５等が軸１２から脱落しないようにロックピン１６が設けられており、これと反対側のピニオン１１ａに対してトレイ本体２側からスプリング１４によって押圧力が掛けられている。このスプリング１４の押圧力によって、ピニオン１１ａ，１１ｂは摩擦パッド１３ａ，１３ｂ及びワンウェイクラッチ１５に押圧される。
【００３８】
摩擦パッド１３ａは、用紙ガイド３ａ，３ｂの一方に外力が加えられたときにはピニオン１１ａ，１１ｂが同期状態となり、且つ用紙ガイド３ａ，３ｂの両方にピニオン１１ａ，１１ｂの同期状態に逆らう外力が加えられたときにはピニオン１１ａ，１１ｂが非同期状態となるための摩擦力を発生するものである。他方の摩擦パッド１３ｂは、ピニオン１１ｂとワンウェイクラッチ１５とを摩擦力によって連動させるものであるが、この摩擦力に逆らって用紙ガイド３ａ，３ｂを移動させた場合には、ピニオン１１ｂと摩擦パッド１３ｂとワンウェイクラッチ１５との間で滑りが生じる程度のものである。
【００３９】
このような連動機構４では、ピニオン１１ｂが用紙ガイド３ｂを広げる方向に回転する際には、前述のようにワンウェイクラッチ１５がロックされるため、ピニオン１１ｂとワンウェイクラッチ１５との間に介在させた摩擦パッド１３ｂによる摩擦力がピニオン１１ｂに作用し、ピニオン１１ｂの回転を制限する。
【００４０】
一方、用紙ガイド３ｂを用紙の幅に応じて狭める際には、ピニオン１１ｂの回転に連れてワンウェイクラッチ１５が空転するため、ピニオン１１ｂの回転は制限されない。
【００４１】
また、このような連動機構４によって、用紙ガイド３ａ，３ｂの一方に外力が加えられたときにはピニオン１１ａ，１１ｂが、これらの間の摩擦パッド１３ａにより発生する摩擦力によって同期状態となり、用紙ガイド３ａ，３ｂは連動する。
【００４２】
一方、この摩擦パッド１３ａにより発生する摩擦力は、用紙ガイド３ａ，３ｂの両方にピニオン１１ａ，１１ｂの同期状態に逆らう外力が加えられたときには、ピニオン１１ａ，１１ｂが非同期状態となり、用紙ガイド３ａ，３ｂが非連動で作動する。
【００４３】
尚、本実施の形態において摩擦パッド１３ａ，１３ｂに用いたシリコーンゴムは硬度５９度、摩擦係数０．８であり、スプリング１４の押圧荷重は１３Ｎであるが、摩擦パッド１３ａ，１３ｂの材質やスプリング１４の押圧荷重を調整することによって、ピニオン１１ｂの回転を制限する場合の摩擦力の基準値や、ピニオン１１ａ，１１ｂが同期又は非同期で作動するときの外力の基準値を任意に設定することが可能である。また、摩擦パッド１３ａ，１３ｂの摩擦係数は０．７〜０．９、スプリング１４の押圧荷重は１１〜１５Ｎの範囲が通常の使用状態においては最適である。
【００４４】
次に、上記構成の給紙トレイ１の用紙ガイド３ａ，３ｂの動作例について説明する。
【００４５】
まず、用紙ガイド３ａ，３ｂが図１に示す位置にある状態から、用紙ガイド３ａ，３ｂのうちいずれか一方に内側（トレイ本体２の中央側）へ向かって外力を加えると、摩擦パッド１３ａによって発生する摩擦力によってピニオン１１ａ，１１ｂは同期状態となっており、用紙ガイド３ａ，３ｂは連動して内側へ移動する。そして、この給紙トレイ１では、連動機構４のピニオン１１ａ，１１ｂが同じ軸１２上に設けられているので、図６及び図７に示す状態まで用紙ガイド３ａ，３ｂの間隔を狭くすることができ、名刺サイズなどの小さな原稿であっても対応することが可能である。
【００４６】
逆に、用紙ガイド３ａ，３ｂが図６及び図７に示す位置から、用紙ガイド３ａ，３ｂのうちいずれか一方に外側へ向かって外力を加えた場合も同様に、摩擦パッド１３ａによって発生する摩擦力によってピニオン１１ａ，１１ｂは同期状態となっており、用紙ガイド３ａ，３ｂは連動して外側へ移動する。
【００４７】
尚、用紙ガイド３ａ，３ｂのいずれか一方のみに外力を加えるのではなく、両方にピニオン１１ａ，１１ｂの同期状態に逆らわないように内側又は外側に外力を加えた場合も同様に連動して移動する。
【００４８】
また、用紙ガイド３ａ，３ｂが図１に示す位置にある状態から、一方の用紙ガイド３ｂを押さえて固定したまま、他方の用紙ガイド３ａに対して内側へ向かって外力を加えた場合、つまり、用紙ガイド３ａ，３ｂの両方にピニオン１１ａ，１１ｂの同期状態に逆らって外力を加えた場合には、ピニオン１１ａ，１１ｂと摩擦パッド１３ａとの間に滑りが発生し、ピニオン１１ａ，１１ｂが非同期状態となる。これにより、用紙ガイド３ａ，３ｂは非連動で作動し、図８に示すように用紙ガイド３ａのみが内側へ移動する。
【００４９】
逆に、図８に示す状態から用紙ガイド３ｂを押さえて固定したまま、他方の用紙ガイド３ａに対して外側へ向かって外力を加えた場合も同様に、ピニオン１１ａ，１１ｂは非同期状態となり、用紙ガイド３ａ，３ｂは非連動で作動し、図１に示す位置へ戻すことができる。
【００５０】
尚、図８に示す状態から用紙ガイド３ａ，３ｂのうちいずれか一方に内側へ向かって外力を加えると、摩擦パッド１３ａによって発生する摩擦力によってピニオン１１ａ，１１ｂは同期状態となり、用紙ガイド３ａ，３ｂは図８に示す位置から連動して内側へ移動する。
【００５１】
以上のように、本実施の形態における給紙トレイ１では、用紙ガイド３ａ，３ｂに加える外力によって連動機構４による用紙ガイド３ａ，３ｂの連動を解除又は有効にして、センタ振り分け方式と片端ガイド固定方式とを切り換えることができる。
【００５２】
また、この給紙トレイ１では、用紙ガイド３ｂと共に移動するラック１０ｂに噛合するピニオン１１ｂが、用紙ガイド３ｂを広げる方向に回転する際には、ワンウェイクラッチ１５がロックされるため、ピニオン１１ｂとワンウェイクラッチ１５との間に介在させた摩擦パッド１３ｂによる摩擦力がピニオン１１ｂに作用し、ピニオン１１ｂの回転を制限するので、用紙の給紙時の振動によって用紙ガイド３ｂが勝手に広がってしまうことが防止されている。また、用紙ガイド３ａ，３ｂを用紙の幅に応じて広げる場合には、この摩擦力に逆らって用紙ガイド３ａ，３ｂを移動させれば、ピニオン１１ｂと摩擦パッド１３ｂとワンウェイクラッチ１５との間で滑りが生じるので、所望の位置まで移動させることができる。
【００５３】
一方、用紙ガイド３ａ，３ｂを用紙の幅に応じて狭める際には、ワンウェイクラッチ１５が空転するため、ピニオン１１ｂの回転は制限されず、用紙ガイド３ａ，３ｂを容易に所望の位置まで移動させることが可能となっている。
【００５４】
尚、本実施の形態におけるピニオン１１ｂ、摩擦パッド１３ｂ及びワンウェイクラッチ１５による用紙ガイド３ｂの移動の制限機構は、上述の用紙ガイド３ａ，３ｂの連動機構４の有無に関わらず採用することが可能であり、用紙ガイド３ａ，３ｂが連動せず、ピニオン１１ａ，１１ｂが同軸上にない場合には、ピニオン１１ａ，１１ｂのそれぞれに摩擦パッド１３ｂ及びワンウェイクラッチ１５を設ければ良い。
【産業上の利用可能性】
【００５５】
本発明の給紙トレイは、スキャナ、プリンタ、ファクシミリや複写機などの給紙装置の給紙トレイとして有用である。特に、本発明は、用紙の給紙時の振動によって用紙ガイドが勝手に広がってしまうのを防止することが可能な給紙トレイとして好適である。
【００５６】
また、前記給紙装置は、プリンタ等の印字装置、スキャナ等の読取装置等の復号機能を備えた複合機、これらに加え、ネットワークに接続可能な事務機器に応用可能である。
【図面の簡単な説明】
【００５７】
【図１】本発明の実施の形態における給紙トレイの表面側からみた斜視図
【図２】本発明の実施の形態における給紙トレイの裏面側からみた斜視図
【図３】図１のＡ−Ａ断面図
【図４】図３のＣ部拡大図
【図５】図１のＢ−Ｂ断面図
【図６】図１の給紙トレイの用紙ガイドを最も狭めた状態を示す平面図
【図７】図６の下面図
【図８】図１の給紙トレイを片側ガイド固定方式とした状態を示す平面図
【符号の説明】
【００５８】
１    給紙トレイ
２    トレイ本体
２ａ，２ｂ    直線ガイド孔
３ａ，３ｂ    用紙ガイド
４    連動機構
１０ａ，１０ｂ    ラック
１１ａ，１１ｂ    ピニオン
１２    軸
１３ａ，１３ｂ    摩擦パッド
１４    スプリング
１５    ワンウェイクラッチ
１６    ロックピン
【図１】
2009292546.tif 000003
【図２】
2009292546.tif 000004
【図３】
2009292546.tif 000005
【図４】
2009292546.tif 000006
【図５】
2009292546.tif 000007
【図６】
2009292546.tif 000008
【図７】
2009292546.tif 000009
【図８】
2009292546.tif 000010